(57)【要約】【課題】巻テープをクラッカー本体から離して遠くへ飛ばすことができて、しかも、使用後の屑テープの回収も容易なクラッカーを提供する。【解決手段】クラッカー１は、筒状のクラッカー本体２に火薬体５と共に巻テープ１２を仕込み、クラッカー本体２のテープ飛出口３を塞ぐクラッカー本体２とは別体の蓋体４を設け、蓋体４に巻テープ１２の一端を繋いでおく。【選択図】図１
2010060239.tif 000002
【特許請求の範囲】
【請求項１】
筒状のクラッカー本体に火薬体と共に複数の巻テープが仕込まれるクラッカーにおいて、前記クラッカー本体のテープ飛出口を塞ぐ前記クラッカー本体とは別体の蓋体を設け、該蓋体に前記各巻テープの一端を繋いだことを特徴とするクラッカー。
【発明の詳細な説明】
【技術分野】
【０００１】
本発明は、例えばウェディングパーティーや誕生日パーティーで、その場の雰囲気を盛り上げるために使用されるクラッカーに関し、詳しくは、筒状のクラッカー本体に火薬体と共に複数の巻テープが仕込まれ、火薬体の爆発により各巻テープが飛び出すクラッカーに関する。
【背景技術】
【０００２】
従来、使用後の屑テープの回収が容易なクラッカーとして、巻テープの一端をクラッカー本体に繋いだクラッカーが知られている（例えば特許文献１参照）。
【特許文献１】特開平８−１３６１９６号公報
【発明の開示】
【発明が解決しようとする課題】
【０００３】
従来のクラッカーは、使用後の屑テープの回収を容易にすることを目的とし、それゆえ、巻テープの一端をクラッカー本体に繋いだから、巻テープをクラッカー本体から離して遠くへ飛ばすことができないという問題があった。
【０００４】
本発明の目的は、巻テープをクラッカー本体から離して遠くへ飛ばすことができて、しかも、使用後の屑テープの回収も容易なクラッカーを提供することにある。
【課題を解決するための手段】
【０００５】
上記目的を達成するため本発明は、筒状のクラッカー本体に火薬体と共に複数の巻きテープが仕込まれるクラッカーにおいて、前記クラッカー本体のテープ飛出口を塞ぐ前記クラッカー本体とは別体の蓋体を設け、該蓋体に前記各巻きテープの一端を繋いだことを特徴とするものでる。
【発明の効果】
【０００６】
本発明によれば、クラッカー本体のテープ飛出口を開口可能に塞ぐクラッカー本体とは別体の蓋体を設けるから、火薬体の爆発により蓋体と巻テープをクラッカー本体から離して遠くへ飛ばすことができ、しかも、蓋体に各巻きテープの一端を繋いだから、屑テープの回収も容易に行うことができる。
【発明を実施するための最良の形態】
【０００７】
以下、本発明の実施の形態を図面に基づいて詳述する。図１は本発明の一実施の形態に係るクラッカーの断面図、図２は本発明の一実施の形態に係るクラッカーの使用状態を示す斜視図である。
【０００８】
図１に示すように、クラッカー１は、ボール紙等の厚紙からなるクラッカー本体形成用台紙を円筒状に組み立てたもののの下端開口部の半円部と残り半円部とを、平らにして相対させてホッチキスでとじ合わせ、左側面又は右側面視では図１の実線に示すように下窄まり、正面又は背面視では図１の二点鎖線に示すように下広がりの外形を有する筒状、具体的にはチューブ状のクラッカー本体（以下、単に「本体」という。）２を設け、本体２の上端（先端）に円形のテープ飛出口３を形成している。
【０００９】
また、本体４とは別体であって、発泡スチロール，コルク，紙等の軽量で軟質な材料からなる厚い円板状の蓋体４を設け、蓋体４を本体２のテープ飛出口３部に緩く内嵌し、蓋体４の外周面４ａとテープ飛出口３部の内周面３ａとの摩擦抵抗により、蓋体４を本体２のテープ飛出口３部に嵌合保持し、蓋体４によって本体２のテープ飛出口３を開放可能に塞いでいる。蓋体４の外周面４ａには蓋体４を先細り形状にするテーパーを付けてある。
【００１０】
本体２の内部には、火薬体５と、プラスチック製で漏斗形の受座６とを収納している。
【００１１】
火薬体５は、所定量の火薬を帯状の紙等で棒状に巻装して形成されたもので、適宜長の引紐７を直結状に連設し、引紐７を強く引っ張ることによって火薬が爆発するようになっている。
【００１２】
受座６は、火薬体５を受け止める円錐部８と、円錐部８の頂点から延びて引紐７を挿通させる細い管部９とを一体に形成すると共に、円錐部８の開いた口側の外径を本体２の円筒状上半部内径と略同径に形成し、円錐部８の開いた口をテープ飛出口３に対向させるよう、管部９を下に向けた状態で円錐部８と管部９とが本体２の上下略中間部に嵌め込まれている。
【００１３】
また、円錐部８の開いた口側から本体２の円筒状上半部内周面に沿って本体２の上端部まで延びる円筒部１０と、円筒部１０の上端より少し手前から外径を上端に向かって漸次拡径するテーパー部１１とを一体に形成し、円筒部１０の外周面を本体２の円筒状上半部内周面に密着させ、本体２の上半部を円筒状に保形すると共に、クラッカー１の使用時に本体２の円筒状上半部が使用者によって握り潰されるのを防止すると共に、テーパー部１１が、円筒部１０の上端部外周面を本体２の上端部内周面に強く密着させ、受座６が本体２の内部で軸線方向に移動したり、軸線周りに回転するのを規制している。
【００１４】
そして、火薬体５は、引紐７を受座６の管部９に挿通させた状態で、円筒部１０の内側下部に仕込まれている。管部９の下端開口から引き出された引紐７は、本体２の下端を閉保持しているホッチキスの針から外れた箇所で外部へ引き出されている。
【００１５】
また、本体２の内部には、複数の巻テープ１２と、ボール紙等の厚紙からなる円板状の受圧板１３とを収納している。
【００１６】
巻テープ１２は、細い一定幅のテープ（紙テープ、プラスッチクテープ、金属テープ、布テープ及びテープ基材にアルミニウム等の金属を蒸着させた蒸着テープ等）を芯に適当長さ（例えば１〜２ｍ）巻き付けたものである。
【００１７】
受圧板１３は、円筒部１０の内径と略同径に形成すると共に、外側縁の対称な２箇所から折り曲げ自在に延出する矩形板状の脚部１４を一体に形成し、脚部１４を下向きに折り曲げた状態で、円筒部１０の内側下部に仕込まれた火薬体５と円筒部１０の上端開口（テープ飛出口３）との間に嵌め込まれ、そこに巻テープ１２の載置面を形成している。脚部１４は、下端を受座６の円錐部８に当接係止させて受圧板１３を下側から支えている。
【００１８】
そして、各巻テープ１２は、繋テープ１５によって束ねると共に、それぞれの巻き終わり端部を繋テープ１５の輪状部１６の内周面に接着固定した状態で、円筒部１０の内側上部であって、受圧板１３と円筒部１０の上端開口（本体２のテープ飛出口３）との間に仕込まれている。
【００１９】
さらに、各巻テープ１２は、それぞれの巻き終わり端部を蓋体４に繋いだ状態で本体２に仕込まれるもので、繋テープ１５を蓋体４の内面にセロハンテープや粘着剤で接着固定している。
【００２０】
上記のように構成されたクラッカー１は、図１に示す状態で、使用者が本体２を片手で把持すると共に、本体２の閉じた下端から引き出されている引紐７を空いている片手で強く引っ張って火薬体５を爆発させると、火薬体５の爆発により受圧板１３と複数の巻テープ１２が本体２のテープ飛出口３から飛び出すときに蓋体４を内側から押すことにより、図２に示すように、本体２のテープ飛出口３に軽く内嵌して本体２のテープ飛出口３を塞いでいる本体２とは別体の蓋体４が本体２から離れて空中へ飛んで行くと共に、その蓋体４に巻き終わり端部を繋いだ各巻テープ１２が蓋体４から後方へ延びるように蓋体４と一緒に本体２から離れて空中へ飛んで行き、これら蓋体４と各巻テープ１２とで本体２から離れて飛んで行く飛行物１７が構成される。
【００２１】
上記のようにクラッカー１は、本体２のテープ飛出口３を開口可能に塞ぐ本体２とは別体の蓋体４を設けるから、火薬体５の爆発により蓋体４と各巻テープ１２を本体２から離して遠くへ飛ばすことができ、しかも、蓋体４に各巻きテープ１２の一端を繋いだから、屑テープの回収も容易に行うことができる。
【００２２】
図１に示した蓋体４は、発泡スチロール，コルク，紙等の材料自体で厚み（嵌合代）を持たせたものであるが、例えば発泡スチロールやコルクからなる薄板、或いは厚紙を重ねた積層構造で厚み（嵌合代）を持たせたものであってもよい。その他、蓋体の変形例を以下に説明する。
【００２３】
図４（ａ）（ｂ）に示す蓋体４１，４２は、本体２のテープ飛出口３を覆う円板状の蓋本体４ａと、蓋本体４ａの外周縁から本体２のテープ飛出口３部の内周側に延出するリング状の縁部４ｂとを有し、縁部４ｂで嵌合代を持たせたものである。図４（ａ）に示す蓋体４１は、縁部４ｂの開口部側から本体２のテープ飛出口３部に緩く内嵌するもので、本体２内に臨む蓋本体４ａの内面や縁部４ｂの内周面に繋テープ１５を介して各巻テープ１２の巻き終わり端部が繋がれる。図４（ｂ）に示す蓋体４２は、蓋本体４ａ側から本体２のテープ飛出口３部に緩く内嵌するもので、蓋体４２には本体２内に臨む蓋体４２の先端面（蓋本体４ａの下面）に繋テープ１５を介して各巻テープ１２の巻き終わり端部が繋がれる。図４（ｂ）に示す蓋体４２では、縁部４ｂの先端部に逆Ｕ字形の断面形状を有する折返部を設け、折返部を本体２のテープ飛出口３部に被嵌し、蓋体４２の本体２内への落ち込みを防止することができる。
【００２４】
図４（ｃ）に示す蓋体４３は、本体２のテープ飛出口３に軽く内嵌し、本体２内に臨む先端面に繋テープ１５を介して各巻テープ１２の巻き終わり端部が繋がれる円板状の蓋本体４ｃと、蓋本体４ｃの上部にそれより一回り大径な頭部４ｄとを有し、外周面に段差部４ｅを設けた頭部付きのもので、段差部４ｅの本体２のテープ飛出口３部への係止により、蓋体４３の本体２内への落ち込みを防止することができる。このような本体２内への落ち込みを防止することができる蓋体は、本体２として口径が軸方向に略一定な直管状の筒体を使用する場合や火薬体５の受座６として本体２内の下部に収納する小型の漏斗体を使用する場合に有効である。
【００２５】
なお、蓋体を本体２のテープ飛出口３部の内径（テープ飛出口３の口径）より僅かに大径の円板に形成すると共に、本体２のテープ飛出口３部の内周に周溝を形成し、円板の外周縁部を周溝に嵌合して円板を本体２のテープ飛出口３部に内嵌して保持する蓋構造でも、蓋体の本体２内への落ち込みを防止することができるが、この蓋構造の場合、従来のクラッカーによく見られる蓋構造であって、クラッカー本体のテープ飛出口部の縁部に複数の蓋片を折り曲げ自在に連設し、各蓋片をテープ飛出口の上に折り畳んで相互に係止することにより、クラッカー本体のテープ飛出口を開放可能に塞ぐクラッカー本体一体型の蓋構造と同様に、火薬体５の爆発によって巻テープ１２に与えられる推進力の一部が本体２のテープ飛出口３の開放に消費され、飛行物１７の飛距離が短くなるという欠点がある。
【００２６】
図４（ｄ）に示す蓋体４４は、本体２のテープ飛出口３を覆う円板状の蓋本体４ｅと、蓋本体４ｅの外周縁から本体２のテープ飛出口３部の外周側に延出するリング状の縁部４ｆとを有し、本体２のテープ飛出口３部に緩く外嵌するもので、本体２内に臨む蓋本体４ｅの内面に繋テープ１５を介して各巻テープ１２の巻き終わり端部が繋がれる。
【００２７】
また、本体２のテープ飛出口３部に緩く外嵌する蓋体は、一枚の薄手の紙を円筒状に形成したものの上部を筒軸周りに捻り固めて天付き円筒状に形成することでも構成することができる。この場合、一枚の薄手の紙の上半部の中でも上部に繋テープ１５を接着固定した状態で、一枚の薄手の紙を円筒状に形成したものの上部を筒軸周りに捻り固めることにより、各巻テープ１２の巻き終わり端部を蓋体の天部に繋ぐことができる。
【００２８】
図４（ｅ）に示す蓋体４５は、蓋本体４ｈを本体２のテープ飛出口３部の内径（テープ飛出口３の口径）より大径の円板状に形成すると共に、蓋本体４ｈの一表面に本体２のテープ飛出口３部を緩く嵌合させる円形の溝部４ｉを形成したもので、蓋本体４ｈの溝部４ｉの内周部分が本体２のテープ飛出口３部の内側に嵌合し、蓋本体４ｈの溝部４ｉの外周部分が本体２のテープ飛出口３部の外側に嵌合した状態で、本体２のテープ飛出口３部に嵌合して保持される。つまり、本体２のテープ飛出口３部への内嵌部（蓋本体４ｈの溝部４ｉの内周部分）と、本体２のテープ飛出口３部への外嵌部（蓋本体４ｈの溝部４ｉの外周部分）とを設けている。蓋体４５には本体２内に臨む蓋本体４ｅの内嵌部の先端面に繋テープ１５を介して各巻テープ１２の巻き終わり端部が繋がれる。
【００２９】
また、図１に示した蓋体４の外側の主面、図４（ｃ）に示した蓋体４３の頭部４ｄの主面、図４（ｅ）に示した蓋体４５の外側の主面をドーム形に形成したり、図４（ａ）（ｂ）（ｄ）に示した蓋体４１，４２，４４の蓋本体４ａ，４ａ，４ｅをドーム形に形成することにより、空気抵抗を減らして飛行物１７の飛距離を延ばすことができ、逆ドーム形に形成することにより、空気抵抗を増やして飛行物１７の飛び過ぎを防止することができる。
【００３０】
以上、本実施の形態では、チューブ形の本体２を設けたクラッカー１で本発明を説明したが、径がテープ飛出口部からその反対側に向かって漸次縮径するクラッカーでは定番の円錐状の本体や径がテープ飛出口部からその反対側に向かって略一定の直筒状の本体を使用してもよい。また、複数の巻テープ１２の巻き終わり端を繋テープ１５を介して間接的に蓋体に繋ぐクラッカー１で本発明を説明したが、巻テープ１２の巻き終わり端は直接蓋体に繋いでもよい。
【図面の簡単な説明】
【００３１】
【図１】本発明の一実施の形態に係るクラッカーの断面図である。
【図２】本発明の一実施の形態に係るクラッカーの使用状態を示す斜視図である。
【図３】（ａ）〜（ｅ）本発明の一実施の形態に係るクラッカーの蓋体の変形例を示す断面図である。
【符号の説明】
【００３２】
１  クラッカー
２  本体（クラッカー本体）
３  テープ飛出口
４  蓋体
５  火薬体
１２  巻テープ
１７  飛行物
【図１】
2010060239.tif 000003
【図２】
2010060239.tif 000004
【図３】
2010060239.tif 000005